【手続補正書】
【提出日】平成23年6月13日(2011.6.13)
【手続補正１】
【補正対象書類名】特許請求の範囲
【補正対象項目名】請求項６
【補正方法】変更
【補正の内容】
【請求項６】
情報処理装置を、
電気信号に変換された物理量を表す検出値の入力を受け取る物理量入力部、
前記検出値が所定の閾値より大きいかどうかを判定する物理量判定部、
前記物理量判定部によって、前記検出値が前記所定の閾値より大きいと判定された場合に、その後に前記検出値が所定の閾値より大きくないと判定されたことに応答して、前記所定の閾値より大きくないと判定された状態が継続する時間を計数するタイマ部、
前記タイマ部によって計数された時間が第１の所定の時間閾値を超えたことに応答して、データ送信を要求する要求信号を送信する送信部、および
前記要求信号に応答して送信されたデータを受信する受信部、
として機能させるプログラム。
【手続補正２】
【補正対象書類名】特許請求の範囲
【補正対象項目名】請求項７
【補正方法】変更
【補正の内容】
【請求項７】
電気信号に変換された物理量を表す検出値の入力を受け取る物理量入力部と、
前記検出値が所定の閾値より大きいかどうかを判定する物理量判定部と、
前記物理量判定部によって、前記検出値が前記所定の閾値より大きいと判定された場合に、その後に前記検出値が所定の閾値より大きくないと判定されたことに応答して、前記所定の閾値より大きくないと判定された状態が継続する時間を計数するタイマ部と、
前記タイマ部によって計数された時間が第１の所定の時間閾値を超えたことに応答して、データ送信を要求する要求信号を送信する送信部と、
前記要求信号に応答して送信されたデータを受信する受信部と、
を有する無線送受信回路。
【手続補正３】
【補正対象書類名】明細書
【補正対象項目名】００５２
【補正方法】変更
【補正の内容】
【００５２】
データ生成部２２２は、メモリ２１４から取り出したタグＩＤ（ＩＤ＿ｔａｇ）、時刻Ｔ、システムＩＤ（ＩＤ＿ｓｙｓｔｅｍ）等の所要の情報を含むデータを暗号化し、その暗号データを符号化する。その他の所要の情報には、例えば、パッケージ内の商品の内容、個数および状態、発送者、移動、経由地および宛先、等に関する情報が含まれていてもよい。送信部２３０はその符号化されたタグＩＤを含む応答データでキャリアを変調してＲＦ信号を送信する。
【手続補正４】
【補正対象書類名】明細書
【補正対象項目名】００８８
【補正方法】変更
【補正の内容】
【００８８】
図５は、例えば温度のような物理量を検出して検出値データを蓄積するよう変形されたアクティブ型非接触情報記憶装置としてのアクティブ型ＲＦ ＩＤタグ２０４の構成を示している。ＲＦ ＩＤタグ２０４に対して図１のリーダ／ライタ装置３０２を用いることができる。
【手続補正５】
【補正対象書類名】明細書
【補正対象項目名】００８９
【補正方法】変更
【補正の内容】
【００８９】
ＲＦ ＩＤタグ２０４は、図１のＲＦ ＩＤタグ２０２の構成要素２１０〜２１３、２２２〜２７４および２９０に加えて、メモリ制御部２７６、温度センサ２８６、温度センサ２８６における検出値を捕捉してそのデータを保持するセンサ・データ読取部２８８、および比較部２８７を有する。ＲＦ ＩＤタグ２０４のその他の構成は図１のＲＦ ＩＤタグ２０２と同様である。バッテリ２９０は、構成要素２１０〜２７６、２８６、２８８および２８７等に電力を供給する。
【手続補正６】
【補正対象書類名】明細書
【補正対象項目名】００９３
【補正方法】変更
【補正の内容】
【００９３】
図６Ａおよび６Ｂは、図５のアクティブ型ＲＦ ＩＤタグ２０４の物理量検出（センス）６２、比較６４、キャリア・センス５０および５３、メモリ２１４への検出値データの書込み６６、受信ＲＦ信号の受信処理５４、メモリ２１４からの蓄積検出値データの読出し６５、および応答データを搬送するＲＦ信号の送信処理５６のタイムチャートを示している。
【手続補正７】
【補正対象書類名】明細書
【補正対象項目名】００９７
【補正方法】変更
【補正の内容】
【００９７】
図６Ｂを参照すると、検出値Ｄｃと前の格納値Ｄｓの差の絶対値Ｄｉｆが閾値Ｄｔｈを超えない場合（Ｄｉｆ≦Ｄｔｈ）は、比較部２８７はその検出値Ｄｃをメモリ２１４に書き込ませず、それによってデータ格納の消費電力およびメモリ容量要求を減少させる。次いで、ＲＦ ＩＤタグ２０４は、期間５０、５３においてキャリア・センスを行う。比較部２８７がない場合は、ＲＦ ＩＤタグ２０４は図６Ｂに示した動作はしない。
【手続補正８】
【補正対象書類名】明細書
【補正対象項目名】０１０６
【補正方法】変更
【補正の内容】
【０１０６】
リーダ／ライタ装置３０４は、図１の構成要素３１０、３１４、３２２〜３４２、および３７４〜３８４に加えて、メモリ３１４内の記憶領域であってもよい閾値記憶部３１６と、物理量または物理的状態を検出するセンサ３６２と、充放電可能なまたは使い捨て型のバッテリ３９０を有する。制御部３１０は、判定部３７５およびモード設定部３７６を有する。センサ３６２は、物理量または物理的状態を電気信号に変換し、その変換された電気信号によって表される検出値を出力する。リーダ／ライタ装置３０４は、構成要素３１０〜３８４を含む送受信回路を有する。
【手続補正９】
【補正対象書類名】明細書
【補正対象項目名】０１０７
【補正方法】変更
【補正の内容】
【０１０７】
構成要素３２２〜３４４、３７４、３７５および３７６は別個の回路としてハードウェアの形態で実装されていても、制御部３１０の一部として実装されていてもよい。代替構成として、構成要素３２２〜３４４、３７４、３７５および３７６の少なくとも一部はソフトウェアの形態で、メモリ（３１４）に格納されたプログラムに従って動作する制御部３１０の機能として実装されていてもよい。
【手続補正１０】
【補正対象書類名】明細書
【補正対象項目名】０１０９
【補正方法】変更
【補正の内容】
【０１０９】
判定部３７５は、有意な検出値を捕捉するために、センサ３６２の検出値を閾値記憶部３１６の閾値に従って閾値処理して、検出値が閾値を超えた場合に有意な検出値をモード設定部３７６に供給する。判定部３７５は、上述の異なる２つ以上のセンサ（例えば、振動センサ、加速度センサ、温度センサ、照度センサ、人感赤外線センサ、近接センサ）の検出値を閾値処理して閾値処理された検出値を論理的に組み合わせて検出の判定を行ってもよく、即ちそれらの２つ以上の閾値処理された検出値を論理和および／または論理積で組み合わせて検出の判定を行ってもよい。
【手続補正１１】
【補正対象書類名】明細書
【補正対象項目名】０１１２
【補正方法】変更
【補正の内容】
【０１１２】
モード設定部３７６は、判定部３７５からの検出値に応答して、リーダ／ライタ装置３０４の動作を送信待機モードに設定する。送信待機モードにおいて、モード設定部３７６は、判定部３７５から検出状態を連続的にまたは短い空白（不検出状態）を挟んで断続的に受け取っている間は、リーダ／ライタ装置３０４の動作を送信待機モードに維持する。送信待機モードにおいて、モード設定部３７６は、判定部３７５から検出状態を受け取らなくなった後で第１の所定の時間期間ＴＤ１が経過した場合には、リーダ／ライタ装置３０４の動作を送信モードに設定する。モード設定部３７６はコマンド送信の回数を計数するカウンタ３７８を有する。ＲＦ ＩＤタグ２０４または２０４’から応答信号を受信したとき、または所定回数ｎ回（送信閾値）だけコマンドを送信し終わったとき、若しくはコマンドを送信してその所定回数ｎ回のコマンド送信に対応する所定時間（時間閾値）ＴＤｎが経過したときに、モード設定部３７６は、カウンタ３７８をリセットして、リーダ／ライタ装置３０４の動作を再び休止モードに設定する。
【手続補正１２】
【補正対象書類名】明細書
【補正対象項目名】０１１７
【補正方法】変更
【補正の内容】
【０１１７】
図１０Ａは、リーダ／ライタ装置３０４のＩＤ書込み要求コマンド（ＣＭＤ）を含むデータを搬送するＲＦ信号の送信処理４２のタイムチャートを示している。図１０Ｂは、リーダ／ライタ装置３０４の受信待ち状態４６および受信ＲＦ信号の受信処理４８のタイムチャートを示している。図１０Ｃおよび１０Ｄは、判定部３７５によるセンサ３６２の検出値の判定、およびセンサ３６２の検出値を示している。図１０Ｅは、アクティブ型ＲＦ ＩＤタグ２０４および２０４’の各々のキャリア・センス５３、温度検出、検出値データの読取りおよびメモリ２１４への書込み処理６７、受信ＲＦ信号の受信処理５４、メモリ２１４からの蓄積検出値データの読出し６５、およびタグＩＤおよび応答を含むデータを搬送するＲＦ信号の送信処理５６のタイムチャートを示している。図１０Ｆは、ウェイクアップ信号のタイムチャートを示している。
【手続補正１３】
【補正対象書類名】明細書
【補正対象項目名】０１２１
【補正方法】変更
【補正の内容】
【０１２１】
図１０Ｃおよび１０Ｄを参照すると、ホースまたは供給管１３の先端部が、動かされて、ビール用樽１０２の供給口に挿入されると、その先端部のリーダ／ライタ装置３０４のセンサ３６２は、その先端部の動きによって閾値記憶部３１６に格納されている閾値Ｍｔｈより大きい振動Ｍを検出し得る。センサ３６２が閾値Ｍｔｈより大きい振動Ｍを検出したとき、制御部３１０（判定部３７５、モード設定部３７６）は、リーダ／ライタ装置３０４の動作を送信待機モードに移行させる。送信待機モードにおいても、リーダ／ライタ装置３０４は休止状態１５１を維持する。ホースまたは供給管１３の先端部が、ビール用樽１０２の供給口に挿入されて静止すると、送信待機モードにおいて、センサ３６２はその閾値Ｍｔｈより大きい振動を検出しなくなる。
【手続補正１４】
【補正対象書類名】明細書
【補正対象項目名】０１２２
【補正方法】変更
【補正の内容】
【０１２２】
振動を検出しない状態で所定の時間期間（時間閾値）ＴＤ１が経過すると、制御部３１０（モード設定部３７６）は、リーダ／ライタ装置３０４の動作を送信モードに移行させる。送信モードにおいて、制御部３１０は、データ生成部３２２、送信部３３０、データ復号部３４２および受信部３５０をイネーブルする。
【手続補正１５】
【補正対象書類名】明細書
【補正対象項目名】０１２７
【補正方法】変更
【補正の内容】
【０１２７】
リーダ／ライタ装置３０４からのＩＤ書込み要求コマンドに応答して、制御部２１０は、後続の期間６５において、メモリ２１４に店およびビアサーバを識別するためのＩＤを現在の日時とともに格納する。制御部２１０は、ＩＤ書込み要求コマンドに従って、リーダ／ライタ装置３０４から受信したＩＤをメモリ２１４に書き込む。
【手続補正１６】
【補正対象書類名】明細書
【補正対象項目名】０１２８
【補正方法】変更
【補正の内容】
【０１２８】
制御部２１０は、その後のランダムに選択された所定時間期間内の期間またはタイムスロット５６にタグＩＤとともに書込み完了を示す応答データを所定の暗号化方式に従って暗号化し暗号データを符号化し、その符号化データを搬送する周波数ｆ２のＲＦ信号を送信し返すよう制御する。
【手続補正１７】
【補正対象書類名】明細書
【補正対象項目名】０１３０
【補正方法】変更
【補正の内容】
【０１３０】
制御部３１０（モード設定部３７６）は、タグＩＤおよび応答の受信に応答して、リーダ／ライタ装置３０４の動作を休止モードに設定する。休止モードにおいて、制御部３１０は、データ生成部３２２、送信部３３０、データ復号部３４２および受信部３５０をディセーブルする。それによって、所定数のコマンドを送信する前であっても、タグＩＤおよび応答を受信したときには、制御部３１０は、リーダ／ライタ装置３０４に、ＩＤ書込み要求コマンドおよびＩＤまたはタグ情報要求コマンドの送信を中止させる。それによって、バッテリ３９０の稼働時間をより長くすることができる。
【手続補正１８】
【補正対象書類名】明細書
【補正対象項目名】０１３３
【補正方法】変更
【補正の内容】
【０１３３】
即ち、断続的に振動が発生する環境下でこのシステムを使用する場合に、リーダ／ライタ装置の動作を、上述の所定の時間期間が経過するまでは休止モードに維持するという構成にすることによって、無用な振動検出による電力消費を効果的に抑止し、タグの休止時間を一定時間以上確保することが可能となる。これによって、同じＲＦ ＩＤタグに対して不必要なＩＤ書込み要求コマンドまたはタグ情報要求コマンドを繰り返し送信することを抑止し、その結果、バッテリ３９０の稼働時間をより長くすることができるという効果が期待される。
【手続補正１９】
【補正対象書類名】明細書
【補正対象項目名】０１３８
【補正方法】変更
【補正の内容】
【０１３８】
休止モードＳＴ０においてセンサ３６２による振動の検出値Ｍが閾値Ｍｔｈを超えた場合（条件３）は、モード設定部３７６は、リーダ／ライタ装置３０４の動作を送信待機モードＳＴ１に移行させる。送信待機モードＳＴ１においてセンサ３６２による振動の検出値Ｍが閾値Ｍｔｈより大きい状態が続いた場合（条件４）は、モード設定部３７６は、リーダ／ライタ装置３０４の動作を送信待機モードＳＴ１に維持する。判定部３７５は閾値Ｍｔｈを超える振動の検出値Ｍの２つの検出期間の間に、所定の時間ＴＤ１（例えば、１秒）以下の短い時間だけ閾値Ｍｔｈを超えない期間があっても、閾値Ｍｔｈを超えている状態が継続していると判定する。
【手続補正２０】
【補正対象書類名】明細書
【補正対象項目名】０１４６
【補正方法】変更
【補正の内容】
【０１４６】
ｎ回または所定時間ＴＤｎのコマンド送信を完了していないと判定された場合は、ステップ４１８において、モード設定部３７６は、制御部３１０が復号部３４２を介してＲＦ ＩＤタグからタグＩＤおよび応答を受信したかどうかを判定する。タグＩＤおよび応答を受信していないと判定された場合は、手順はステップ４１４に戻る。
【手続補正２１】
【補正対象書類名】明細書
【補正対象項目名】０１５０
【補正方法】変更
【補正の内容】
【０１５０】
図１７を参照すると、ステップ８０２において、モード設定部３７６は、カウンタ３７８によって計数された実際のコマンド送信の回数Ｎ（≦ｎ）をメモリ３１４に格納する。ステップ８０４において、パラメータを調整するために、モード設定部３７６は、実際のコマンド送信回数Ｎを送信回数閾値ｎｔｈと比較してそれより大きいかまたは小さいかを判定する。実際のコマンド送信回数Ｎが送信回数閾値ｎｔｈ（例えば、ｎｔｈ＝３０回）より多くかつ最大閾値ｎｍａｘ（例えば、１００回）より小さいと判定した場合には（Ｎ＞ｎｔｈ、Ｎ＜ｎｍａｘ）、モード設定部３７６は、ステップ８１２において、第１の所定の時間期間ＴＤ１を所定単位長さΔｔ（例えば、Δｔ＝０．２秒）だけ大きく設定変更し（ＴＤ１＝ＴＤ１＋Δｔ）および／または所定の最大送信回数ｎを所定単位数Δｎ（例えば、Δｎ＝１回）だけ大きく設定変更する（ｎ＝ｎ＋Δｎ）。また、実際のコマンド送信回数Ｎが送信回数閾値ｎｔｈ（例えば、ｎｔｈ＝３０回）より小さくかつ最小閾値ｎｍｉｎ（例えば、２０回）より大きいと判定した場合には（Ｎ＜ｎｔｈ、Ｎ＞ｎｍｉｎ）、モード設定部３７６は、ステップ８１４において、第１の所定の時間期間ＴＤ１を所定単位長さΔｔ（例えば、Δｔ＝０．２秒）だけ小さく設定変更し（ＴＤ１＝ＴＤ１−Δｔ）および／または所定の最大送信回数ｎを所定単位数Δｎ（例えば、Δｎ＝１回）だけ小さく設定変更する（ｎ＝ｎ−Δｎ）。それによって、リーダ／ライタ装置３０４におけるコマンドの送信処理の期間４２および応答信号の受信待ち状態の期間４６を、ＲＦ ＩＤタグによるコマンド受信およびタグ応答の送信の可能性が高いと期待される時間位置に調整することができる。
【手続補正２２】
【補正対象書類名】明細書
【補正対象項目名】０１５５
【補正方法】変更
【補正の内容】
【０１５５】
図１４において、ステップ７０２〜７０４、７０８〜７１２、４１４〜４１８は図１２のものと同様である。
【手続補正２３】
【補正対象書類名】明細書
【補正対象項目名】０１５７
【補正方法】変更
【補正の内容】
【０１５７】
ステップ４１８においてタグＩＤおよび応答を受信していないと判定された場合は、手順はステップ４１４に戻る。
【手続補正２４】
【補正対象書類名】明細書
【補正対象項目名】０１５９
【補正方法】変更
【補正の内容】
【０１５９】
図１４において、ステップ４１６のＹＥＳ分岐の後でかつステップ７０２に戻る前に、図１２と同様のステップ４１９を実行してもよい。この場合、ステップ４１８のＹＥＳ分岐の後でかつステップ４２０に進む前に、図１２と同様のステップ４１９を実行する。
【手続補正２５】
【補正対象書類名】明細書
【補正対象項目名】０１６１
【補正方法】変更
【補正の内容】
【０１６１】
図１２および１４において、各ステップは、制御部３１０（判定部３７５およびモード設定部３７６）におけるそれぞれの処理を実行するそれぞれの機能部または回路として見ることができる。
【手続補正２６】
【補正対象書類名】明細書
【補正対象項目名】０１６２
【補正方法】変更
【補正の内容】
【０１６２】
図１５は、リーダ／ライタ装置３０４によって送信モードにおいて実行される処理のフローチャートを示している。送信処理は、図１４のステップ４１４〜４１８に対応する。図において、各ステップは、制御部３１０（判定部３７５およびモード設定部３７６）におけるそれぞれの処理を実行するそれぞれの機能部または回路として見ることができる。
【手続補正２７】
【補正対象書類名】明細書
【補正対象項目名】０１７３
【補正方法】変更
【補正の内容】
【０１７３】
ステップ５１５の後のステップ５２２において、制御部２１０は、データ復号部２４２からコマンドを含む復号され暗号解読されたデータを受け取り、その解読データに含まれている解読された受信コマンドを処理し、リーダ／ライタ装置３０４によるアクセス記録をメモリ２１４に格納する。ステップ５２４において、制御部２１０はデータ復号部２４２をディセーブルする。
【手続補正２８】
【補正対象書類名】明細書
【補正対象項目名】０１７４
【補正方法】変更
【補正の内容】
【０１７４】
図１６Ｃを参照すると、ステップ７４４において、制御部２１０は、受信したコマンドがＩＤ書込み要求かまたは検出データ要求かを判定する。それがＩＤ書込み要求であると判定された場合は、手順はステップ７４６に進む。
【手続補正２９】
【補正対象書類名】図面
【補正対象項目名】図３
【補正方法】変更
【補正の内容】
【図３】
2009295002.tif 000001
【手続補正３０】
【補正対象書類名】図面
【補正対象項目名】図５
【補正方法】変更
【補正の内容】
【図５】
2009295002.tif 000002
【手続補正３１】
【補正対象書類名】図面
【補正対象項目名】図８
【補正方法】変更
【補正の内容】
【図８】
2009295002.tif 000003
【手続補正３２】
【補正対象書類名】図面
【補正対象項目名】図１６
【補正方法】変更
【補正の内容】
【図１６】
2009295002.tif 000004
【手続補正３３】
【補正対象書類名】図面
【補正対象項目名】図１６Ｃ
【補正方法】変更
【補正の内容】
【図１６Ｃ】
2009295002.tif 000005